(57)【特許請求の範囲】
【請求項１】
居室を形成する複数の建物ユニットと、下階および上階に各二個並設され、吹き抜け空間を形成する吹抜用建物ユニットとを有するユニット式建物であって、
前記建物ユニットおよび吹抜用建物ユニットは、四隅に立設される柱と、これら柱の上端間および下端間を相互に連結する梁とを含んで箱状に形成され、
前記上階吹抜用建物ユニットの前記柱同士を連結する上階連結具と、
前記下階吹抜用建物ユニットの前記柱同士を連結する下階連結具と、
前記上階吹抜用建物ユニットおよびこの上階吹抜用建物ユニットに隣接する上階建物ユニットを連結する上階連結部材と、
前記下階吹抜用建物ユニットおよびこの下階吹抜用建物ユニットに隣接する下階建物ユニットを連結する下階連結部材とを備えていることを特徴とするユニット式建物。
【請求項２】
請求項１に記載のユニット式建物において、
前記建物ユニットおよび前記吹抜用建物ユニットからなる建物本体は、平面視で凸部を有する平面凸形状に構成されていることを特徴とするユニット式建物。
【請求項３】
請求項１または請求項２に記載のユニット式建物において、
前記上階連結具および前記下階連結具は、前記柱の外側面に設けられ、端面が開口された筒状部材から構成されていることを特徴とするユニット式建物。
【請求項４】
請求項３に記載のユニット式建物において、
前記筒状部材は、前記開口された端面が垂直に配置されていることを特徴とするユニット式建物。
【請求項５】
居室を形成する複数の建物ユニットと、下階および上階に各二個並設され、吹き抜け空間を形成する吹抜用建物ユニットとを有するユニット式建物の施工方法であって、
前記建物ユニットは、四隅に立設される柱と、これら柱の上端間および下端間を相互に連結する梁とを含んで箱状に構成され、
前記吹抜用建物ユニットは、前記建物ユニットを構成する梁の少なくとも一部が欠損して構成され、この欠損部分には、前記柱と着脱可能な仮梁が設けられ、
前記吹抜用建物ユニットを下階および上階に各二個並設する工程と、
前記吹抜用建物ユニットの仮梁を取り外す工程と、
前記上階吹抜用建物ユニットの前記柱同士を上階連結具で連結する工程と、前記下階吹抜用建物ユニットの前記柱同士を下階連結具で連結する工程と、
前記上階吹抜用建物ユニットおよびこの上階吹抜用建物ユニットに隣接する上階建物ユニットを上階連結部材で連結する工程と、
前記下階吹抜用建物ユニットおよびこの下階吹抜用建物ユニットに隣接する下階建物ユニットを下階連結部材で連結する工程とを備えていることを特徴とするユニット式建物の施工方法。
【請求項６】
請求項５に記載のユニット式建物の施工方法において、
まず、前記吹抜用建物ユニットを下階および上階に各二個並設する工程を行い、
次に、前記上階吹抜用建物ユニットの前記柱同士を上階連結具で連結する工程および前記下階吹抜用建物ユニットの前記柱同士を下階連結具で連結する工程を行い、
さらに、前記上階吹抜用建物ユニットおよびこの上階吹抜用建物ユニットに隣接する上階建物ユニットを上階連結部材で連結する工程および前記下階吹抜用建物ユニットおよびこの下階吹抜用建物ユニットに隣接する下階建物ユニットを下階連結部材で連結する工程を行い、
最後に、前記吹抜用建物ユニットの仮梁を取り外す工程を行うことを特徴とするユニット式建物の施工方法。
【発明の詳細な説明】
【０００１】
【発明の属する技術分野】
本発明は、居室を形成する複数の建物ユニットと、下階および上階に各二個並設され、吹き抜け空間を形成する吹抜用建物ユニットとを有するユニット式建物およびその施工方法に関するものである。
【０００２】
【背景技術】
従来より、工場で生産される複数の建物ユニットを建築現場で上下に組み合わせることにより建てられるユニット式建物において、各建物ユニットは、四隅に立設される柱と、これらの柱の上端間、下端間を相互に連結する複数の梁を含む骨組みを有している。
このようなユニット式建物としては、その内部に、天井面が開口された下階建物ユニットと、床面が開口された上階建物ユニットとを上下左右に４つ配置することで大きな吹き抜け空間を形成したものがある（特開平８−２１８４９１号公報）。
この際、吹き抜け空間を横切る下階建物ユニットの天井梁および上階建物ユニットの床梁を省略できれば、見通しがよく、開放感のある大きな吹き抜け空間とすることができる。
【０００３】
【発明が解決しようとする課題】
しかしながら、平面視で凸部を有する凸形状に形成されたユニット式建物において、大きな吹き抜け空間を形成する４つの建物ユニットの一部が、前述の凸部を構成している場合、当該凸部において、水平外力に対する耐力壁要素が一枚となる部分が発生し、ユニット式建物の剛性が不足するおそれがあるので、前述のように、吹き抜け空間を横切る下階建物ユニットの天井梁および上階建物ユニットの床梁を省略することは設計上困難であるという問題がある。
【０００４】
本発明の目的は、一部の梁を省略しても、剛性を確保することが可能なユニット式建物およびその施工方法を提供することにある。
【０００５】
【課題を解決するための手段】
本発明の第１発明は、図面を参照して説明すると、居室を形成する複数の建物ユニット１０Ａ、２０Ａと、下階と上階とに各二個並設され、吹き抜け空間３Ｂを形成する吹抜用建物ユニット１０Ｂ、１０Ｃ、２０Ｂ、２０Ｃとを有するユニット式建物１であって、建物ユニット１０Ａ、２０Ａおよび吹抜用建物ユニット１０Ｂ、１０Ｃ、２０Ｂ、２０Ｃは、四隅に立設される柱と、これら柱の上端間および下端間を相互に連結する梁とを含んで箱状に形成され、上階吹抜用建物ユニット２０Ｂ、２０Ｃの柱５１Ｂ、６１Ａ同士を連結する上階連結具７１と、下階吹抜用建物ユニット１０Ｂ、１０Ｃの柱３１Ｂ、４１Ａ同士を連結する下階連結具７２と、上階吹抜用建物ユニット２０Ｂおよびこの上階吹抜用建物ユニット２０Ｂに隣接する上階建物ユニット２０Ａを連結する上階連結部材（例えば、上階連結板７３）と、下階吹抜用建物ユニット１０Ｂおよびこの下階吹抜用建物ユニット１０Ｂに隣接する下階建物ユニット１０Ａを連結する下階連結部材（例えば、下階連結板７４）とを備えていることを特徴とする。
このような本発明によれば、吹き抜け空間を構成する吹抜用建物ユニットが、居室を形成する通常の建物ユニットに強固に接合されているので、吹抜用建物ユニットの一部の梁を省略しても、剛性を確保することが可能となる。
【０００６】
以上において、前述の建物ユニット１０Ａ、２０Ａおよび吹抜用建物ユニット１０Ｂ、１０Ｃ、２０Ｂ、２０Ｃからなる建物本体３は、平面視で凸部３Ａを有する平面凸形状に構成されていることが好ましい。
このように、建物本体に凸部があり、この凸部に吹抜空間が形成され、水平外力に対する耐力壁要素が一枚となる部分が発生しても、吹き抜け空間となる凸部も他の隣接する通常の建物ユニットに強固に接合されている。これにより、平面凸形状のユニット式建物において、吹抜用建物ユニットの一部の梁を省略しても、剛性を確保することが可能となる。
【０００７】
また、上階連結具７１および下階連結具７２は、柱５１Ｂ、６１Ａ、３１Ｂ、４１Ａの外側面に設けられ、端面が開口された筒状部材から構成されていることが望ましい。
このようにすれば、筒状部材の開口部分から手を入れて、連結具を柱に接合する際の締め付け作業等を簡単に行うことができ、これにより、建物ユニットの連結作業が容易となる。
【０００８】
さらに、筒状部材は、開口された端面が垂直に配置されていることが好ましい。
このようにすれば、連結部分の、水平方向の力に対する剛性を高くすることが可能となり、ひいては、ユニット式建物の剛性を一層高くすることが容易に可能となる。
【０００９】
本発明の第２発明は、図面を参照して説明すると、居室を形成する複数の建物ユニット１０Ａ、２０Ａと、下階と上階とに各二個並設され、吹き抜け空間３Ｂを形成する吹抜用建物ユニット１０Ｂ、１０Ｃ、２０Ｂ、２０Ｃとを有するユニット式建物１の施工方法であって、前記建物ユニット１０Ａ、２０Ａは、四隅に立設される柱と、これら柱の上端間および下端間を相互に連結する梁とを含んで箱状に構成され、前記吹抜用建物ユニット１０Ｂ、１０Ｃ、２０Ｂ、２０Ｃは、前記建物ユニットを構成する梁の少なくとも一部が欠損して構成され、この欠損部分には、前記柱と着脱可能な仮梁１００が設けられ、吹抜用建物ユニット１０Ｂ、１０Ｃ、２０Ｂ、２０Ｃを下階と上階とに各二個並設する工程と、吹抜用建物ユニット１０Ｂ、１０Ｃ、２０Ｂ、２０Ｃの仮梁を取り外す工程と、上階吹抜用建物ユニット２０Ｂ、２０Ｃの柱５１Ｂ、６１Ａ同士を上階連結具７１で連結する工程と、下階吹抜用建物ユニット１０Ｂ、１０Ｃの柱３１Ｂ、４１Ａ同士を下階連結具７２で連結する工程と、上階吹抜用建物ユニット２０Ｂおよびこの上階吹抜用建物ユニット２０Ｂに隣接する上階建物ユニット２０Ａを上階連結部材（例えば、上階連結板７３）で連結する工程と、下階吹抜用建物ユニット１０Ｂおよびこの下階吹抜用建物ユニット１０Ｂに隣接する下階建物ユニット１０Ａを下階連結部材（例えば、下階連結板７４）で連結する工程とを備えていることを特徴とする。
このような本発明では、吹き抜け空間を構成する吹抜用建物ユニットが、居室を形成する通常の建物ユニットに強固に接合されているので、吹抜用建物ユニットの一部の梁を省略しても、剛性を確保することが可能となる。その上、凸部を有するユニット式建物において、当該凸部に、梁のない大きな吹き抜け空間を支障なく形成することが可能となる。
【００１０】
以上において、前述の施工方法は、まず、吹抜用建物ユニット１０Ｂ、１０Ｃ、２０Ｂ、２０Ｃを下階と上階とに各二個並設する工程を行い、次に、上階吹抜用建物ユニット２０Ｂ、２０Ｃの柱５１Ｂ、６１Ａ同士を上階連結具７１で連結する工程および下階吹抜用建物ユニット１０Ｂ、１０Ｃの柱３１Ｂ、４１Ａ同士を下階連結具７２で連結する工程を行い、さらに、上階吹抜用建物ユニット２０Ｂおよびこの上階吹抜用建物ユニット２０Ｂに隣接する上階建物ユニット２０Ａを上階連結部材で連結する工程および下階吹抜用建物ユニット１０Ｂおよびこの下階吹抜用建物ユニット１０Ｂに隣接する下階建物ユニット１０Ａを下階連結部材で連結する工程を行い、最後に、吹抜用建物ユニット１０Ｂ、１０Ｃ、２０Ｂ、２０Ｃの仮梁を取り外す工程を行うのが好ましい。
このようにすれば、吹抜用建物ユニットを建築現場に運ぶ際に、吹き抜け空間となる部分に設けられる仮梁を当該建築現場で取り外す工程を最後にしているので、施工中に吹抜用建物ユニットに水平力等が作用しても、仮梁で対向することが可能となり、ユニット式建物を確実に施工することが可能となる。
【００１１】
【発明の実施の形態】
以下に本発明の実施の形態を図面に基づいて説明する。
図１には、本発明の一実施形態に係るユニット式建物１が示されている。
このユニット式建物１は、基礎２上に設置された建物本体３と、この建物本体３の上部に設けられた図示しない屋根とを含んで構成されている。
【００１２】
建物本体３は、下階側に並設された複数の下階建物ユニットである一階建物ユニット１０と、これら一階建物ユニット１０の上部に並設された複数の上階建物ユニットである二階建物ユニット２０とを含み、平面視で凸部３Ａを有する平面凸形状に構成されている。
図中一点鎖線で示されるように、前述の一、二階建物ユニット１０、２０のうち、建物本体３の凸部３Ａに設けられ、下階と上階とに各二個並設された一、二階建物ユニット１０Ｂ、１０Ｃ、２０Ｂ、２０Ｃの内部は、一つの大きな吹き抜け空間３Ｂになっている。つまり、一、二階建物ユニット１０Ｂ、１０Ｃ、２０Ｂ、２０Ｃは、吹き抜け空間３Ｂを形成する吹抜用建物ユニットである。
【００１３】
建物ユニット１０、２０のうち、吹抜空間３Ｂを構成しない一、二階建物ユニット１０Ａ、２０Ａは、図２に示されるように、四隅に立設する柱１１Ａと、これらの柱１１Ａの上端および下端間に架け渡された天井梁１１Ｂおよび床梁１１Ｃとで直方体状に形成された骨組み１１を有する。床梁１１Ｃ間には、図示しない床面材を支持する床根太１２が架け渡され、天井梁１１Ｂ間には、図示しない天井面材を支持する天井小梁１３が架け渡されている。
【００１４】
内部が吹き抜け空間３Ｂとなっている一、二階建物ユニット１０Ｂ、１０Ｃ、２０Ｂ、２０Ｃは、図３に示されるような骨組み３０、４０、５０、６０を有する。
詳しくは、各骨組み３０、４０、５０、６０は、各々四隅に立設された中空の角材からなる四本の柱３１Ａ〜３１Ｄ、４１Ａ〜４１Ｄ、５１Ａ〜５１Ｄ、６１Ａ〜６１Ｄと、これらの下端間に架け渡されたチャンネル材からなる床梁３２Ａ〜３２Ｄ、４２Ａ〜４２Ｄ、５２Ａ〜５２Ｃ、６２Ａ〜６２Ｃと、上端間に架け渡されたチャンネル材からなる天井梁３３Ａ〜３３Ｃ、４３Ａ〜４３Ｃ、５３Ａ〜５３Ｄ、６３Ａ〜６３Ｄとを含んで箱状に構成されている。
【００１５】
ここで、一階建物ユニット１０Ｂ、１０Ｃを構成する骨組み３０、４０において、各々柱３１Ｂ、３１Ｃの上端間および柱４１Ａ、４１Ｄの上端間には、天井梁が架け渡されていない。また、二階建物ユニット２０Ｂ、２０Ｃを構成する骨組み５０、６０において、各々柱５１Ｂ、５１Ｃの下端間および柱６１Ａ、６１Ｄの下端間には、床梁が架け渡されていない。
【００１６】
このような一、二階建物ユニット１０Ｂ、１０Ｃ、２０Ｂ、２０Ｃにおいて、天井梁および床梁が架け渡されていない柱３１Ｂ、４１Ａ、５１Ｂ、６１Ａと、これらに対向配置された柱３１Ｃ、４１Ｄ、５１Ｃ、６１Ｄとの間には、これらの柱と着脱可能な仮梁１００が架け渡される。
これら仮梁１００は、工場で一、二階建物ユニット１０Ｂ、１０Ｃ、２０Ｂ、２０Ｃが生産される際に装着され、建築現場で連結された後に取り外されるものである。つまり、この仮梁１００が装着されることにより、天井梁あるいは床梁のない一、二階建物ユニット１０Ｂ、１０Ｃ、２０Ｂ、２０Ｃの輸送中における強度や、建築現場で作業中に加わる外力に対しての強度が確保されるようになっている。
【００１７】
図４および図５には、図１の円 IIIで囲まれた部分における、吹き抜け空間３Ｂを形成する一、二階建物ユニット１０Ｂ、１０Ｃ、２０Ｂ、２０Ｃと、それらに隣接する一、二階建物ユニット１０Ａ、２０Ａとの連結構造が示されている。一階建物ユニット１０Ｂ、１０Ｃの天井梁が架け渡されていない柱３１Ｂ、４１Ａの上端同士は、下階連結具７２で相互に連結されている。同様に、二階建物ユニット２０Ｂ、２０Ｃの床梁が架け渡されていない柱５１Ｂ、６１Ａの下端同士は、上階連結具７１で相互に連結されている。
【００１８】
また、一階建物ユニット１０Ｂの天井梁が架け渡されていない柱３１Ｂと、この一階建物ユニット１０Ｂに隣接する一階建物ユニット１０Ａの柱１１Ａとは、２枚の下階連結部材である板状の下階連結板７４で相互に連結されている。同様に、二階建物ユニット２０Ｂの床梁が架け渡されていない柱５１Ｂと、この二階建物ユニット２０Ｂに隣接する二階建物ユニット２０Ａの柱１１Ａとは、２枚の上階連結部材である板状の上階連結板７３で相互に連結されている。
【００１９】
詳しくは、上階連結具７１および下階連結具７２は、図６に示されるように、各柱３１Ｂ、４１Ａ、５１Ｂ、６１Ａの外側面に設けられ、端面が開口された筒状部材から構成されている。これらは、開口された端面が垂直に配置されている。
各連結具７１、７２の各柱３１Ｂ、４１Ａ、５１Ｂ、６１Ａに当接する面には、ボルト１０１を挿通するための４つのボルト挿通孔７１Ａ、７２Ａが形成されている。この各連結具７１、７２が当接する柱３１Ｂ、４１Ａ、５１Ｂ、６１Ａにも、ボルト挿通孔７１Ａ、７２Ａの孔位置に応じてそれぞれ４つのボルト孔８０が形成され、内部にこれらのボルト孔８０に対応する図示略の裏ナットが固設されている。これにより、各連結具７１、７２と各柱３１Ｂ、４１Ａ、５１Ｂ、６１Ａとは、ボルト１０１、ナットで相互に連結され、ひいては一階建物ユニット１０Ｂ、１０Ｃ同士および二階建物ユニット２０Ｂ、２０Ｃ同士がそれぞれ相互に連結されるようになっている。
【００２０】
また、上階連結板７３および下階連結板７４は、図７に示されるように、二階建物ユニット２０Ｂの床梁が架け渡されていない柱５１Ｂおよびこの二階建物ユニット２０Ｂに隣接する二階建物ユニット２０Ａの柱１１Ａ、一階建物ユニット１０Ｂの天井梁が架け渡されていない柱３１Ｂおよびこの一階建物ユニット１０Ｂに隣接する一階建物ユニット１０Ａの柱１１Ａにそれぞれ架け渡す程度の長さ寸法を有する長方形状に形成され、これらは、前述の柱１１Ａ、５１Ｂ、１１Ａ、３１Ｂ同士を挟み込むように配置されている。
【００２１】
各連結板７３、７４の柱１１Ａ、５１Ｂ、１１Ａ、３１Ｂに当接する部分には、ボルト１０１を挿通するための複数のボルト挿通孔７３Ａ、７４Ａが形成されている。この各連結板７３、７４が当接する柱１１Ａ、５１Ｂ、１１Ａ、３１Ｂにも、ボルト挿通孔７３Ａ、７４Ａの孔位置に応じてそれぞれ複数のボルト孔８０が形成され、内部にこれらのボルト孔８０に対応する図示略の裏ナットが固設されている。これにより、各連結板７３、７４と柱１１Ａ、５１Ｂ、１１Ａ、３１Ｂとはボルト１０１、ナットで相互に連結され、ひいては一階建物ユニット１０Ａ、１０Ｂ同士および二階建物ユニット２０Ａ、２０Ｂ同士がそれぞれ相互に連結されるようになっている。
【００２２】
このように、一、二階建物ユニット１０Ａ、１０Ｂ、１０Ｃ、２０Ａ、２０Ｂ、２０Ｃが連結具７１、７２および連結板７３、７４で連結されることにより、仮梁１００が取り外されても吹き抜け空間３Ｂ周辺の強度が確保されるようになっている。
なお、図１の円 IIIで囲まれた部分と反対側の部分も、前述の吹き抜け空間３Ｂを形成する一、二階建物ユニット１０Ｂ、１０Ｃ、２０Ｂ、２０Ｃと、それらに隣接する一、二階建物ユニット１０Ａ、２０Ａとの連結構造と同様の構造となっている。
【００２３】
次に、このようなユニット式建物１の建築手順を説明する。
まず、工場において、外壁パネルや内壁パネル等が取り付けられた複数の一、二階建物ユニット１０、２０を製造する。この際、一階建物ユニット１０Ｂ、１０Ｃにおいて、柱３１Ｂ、３１Ｃの上端間、柱４１Ａ、４１Ｄの上端間に各々仮梁１００を装着しておく。同様に、二階建物ユニット２０Ｂ、２０Ｃにおいて、柱５１Ｂ、５１Ｃの下端間、柱６１Ａ、６１Ｄの下端間に各々仮梁１００を装着しておく。
【００２４】
次いで、建築現場において、各一、二階建物ユニット１０、２０を基礎２上に上下に組み合わせて建物本体３を建築する。
この際、一、二階建物ユニット１０Ｂ、１０Ｃ、２０Ｂ、２０Ｃの組み合わせ作業を行うに当たっては、一階建物ユニット１０Ｂ、１０Ｃを並設した後、互いに隣接する柱３１Ｂ、４１Ａ、３１Ｃ、４１Ｄ同士を下階連結具７２で相互に連結するとともに、互いに隣接する柱１１Ａ、３１Ｂ、１１Ａ、３１Ｃ同士を下階連結板７４で相互に連結する。尚、下階連結具７２と柱３１Ｂ、４１Ａ、３１Ｃ、４１Ｄとの連結に際しては、筒状の下階連結具７２の開口端面から手を入れてボルト締めをすることにより行う。
【００２５】
そして、一階建物ユニット１０Ｂ、１０Ｃの上部に二階建物ユニット２０Ｂ、２０Ｃを組み合わせ、一階部分と同様に、互いに隣接する柱５１Ｂ、６１Ａ、５１Ｃ、６１Ｄ同士を上階連結具７１で相互に連結するとともに、互いに隣接する柱１１Ａ、５１Ｂ、１１Ａ、５１Ｃ同士を上階連結板７３で相互に連結する。
その後、一、二階建物ユニット１０Ｂ、１０Ｃ、２０Ｂ、２０Ｃからそれぞれ仮梁１００を取り外す。最後に図示しない屋根を設け、吹き抜け空間３Ｂを有するユニット式建物１を完成させる。
【００２６】
このような本実施形態によれば、次のような効果が得られる。
すなわち、下階連結具７２、上階連結具７１、下階連結板７４、上階連結板７３を用いて、吹き抜け空間３Ｂを構成する一、二階建物ユニット１０Ｂ、１０Ｃ、２０Ｂ、２０Ｃを、居室を形成する一、二階建物ユニット１０Ａ、２０Ａに強固に接合したので、一、二階建物ユニット１０Ｂ、１０Ｃ、２０Ｂ、２０Ｃの一部の梁を省略しても、剛性を確保することができる。
【００２７】
また、吹き抜け空間３Ｂを凸部３Ａに形成し、当該凸部３Ａにおいて、水平外力に対する耐力壁要素が一枚となる部分が発生しても、吹き抜け空間３Ｂとなる凸部３Ａも他の隣接する一、二階建物ユニット１０Ａ、２０Ａに強固に接合されている。これにより、平面凸形状のユニット式建物１において、一、二階建物ユニット１０Ｂ、１０Ｃ、２０Ｂ、２０Ｃの一部の梁を省略しても、剛性を確保することができる。
【００２８】
さらに、上階連結具７１および下階連結具７２を、端面が開口した筒状部材で構成したので、その開口部分から手を入れて、各連結具７１、７２を柱３１Ｂ、４１Ａ、５１Ｂ、６１Ａに接合する際の締め付け作業等を簡単に行うことができ、これにより、一階建物ユニット１０Ｂ、１０Ｃ同士および二階建物ユニット２０Ｂ、２０Ｃ同士の連結作業を容易に行うことができる。
【００２９】
また、筒状部材で構成した各連結具７１、７２を、開口した端面を垂直に配置したので、連結部分の、水平方向の力に対する剛性を高くすることができ、ひいては、ユニット式建物１の剛性を一層高くすることが容易にできる。
【００３０】
さらに、ユニット式建物１を建築する際に、仮梁１００を建築現場で取り外す工程を、一、二階建物ユニット１０Ｂ、１０Ｃ、２０Ｂ、２０Ｃを設置、連結した後に行っているので、施工中に一、二階建物ユニット１０Ｂ、１０Ｃ、２０Ｂ、２０Ｃに水平力等が作用しても、仮梁１００で対向することができ、ユニット式建物１を確実に施工することができる。
【００３１】
なお、本発明は前記実施の形態に限定されるものではなく、本発明の目的を達成できる他の構成等を含み、以下に示すような変形等も本発明に含まれる。
例えば、ユニット式建物の施工手順としては、仮梁を建築現場で取り外す工程を、一、二階建物ユニットを設置、連結した後に行うに限らず、例えば、連結具だけ取り付けた後に取り外してもよく、仮梁の取り外し時期は、ユニット式建物の建築手順に応じて適宜決めればよい。
【００３２】
また、連結具としては、筒状部材に限らず、例えば、断面Ｃ字形状のチャンネル材でもよいし、フランジとウェブとを備えた断面Ｈ字形状のものでもよい。
【００３３】
さらに、吹き抜け空間としては、平面凸形状の建物本体の凸部に形成するに限らず、建物本体の形状に応じて、任意の位置に形成してもよい。
【００３４】
また、前記実施形態では、柱同士を連結板で連結していたが、これに限らず、各梁同士を連結板で連結してもよく、要するに、各建物ユニット同士を所定の力で相互に連結できればよい。
【００３５】
【発明の効果】
以上に述べたように、本発明のユニット式建物およびその施工方法によれば、次のような効果がある。
すなわち、請求項１に記載のユニット式建物によれば、吹き抜け空間を構成する吹抜用建物ユニットが、居室を形成する通常の建物ユニットに強固に接合されているので、吹抜用建物ユニットの一部の梁を省略しても、剛性を確保することができる。
【００３６】
また、請求項２に記載のユニット式建物によれば、吹き抜け空間を凸部に形成し、当該凸部において、水平外力に対する耐力壁要素が一枚となる部分が発生しても、吹き抜け空間となる凸部も他の隣接する通常の建物ユニットに強固に接合されている。これにより、平面凸形状のユニット式建物において、吹抜用建物ユニットの一部の梁を省略しても、剛性を確保することができる。
【００３７】
さらに、請求項３に記載のユニット式建物によれば、筒状部材の開口部分から手を入れて、連結具を柱に接合する際の締め付け作業等を簡単に行うことができ、これにより、建物ユニットの連結作業を容易にできる。
【００３８】
また、請求項４に記載のユニット式建物によれば、連結部分の、水平方向の力に対する剛性を高くすることができ、ひいては、ユニット式建物の剛性を一層高くすることが容易にできる。
【００３９】
さらに、請求項５に記載のユニット式建物の施工方法によれば、吹き抜け空間を構成する吹抜用建物ユニットが、居室を形成する通常の建物ユニットに強固に接合されているので、吹抜用建物ユニットの一部の梁を省略しても、剛性を確保することができる。その上、凸部を有するユニット式建物において、当該凸部に、梁のない大きな吹き抜け空間を支障なく形成することができる。
【００４０】
また、請求項６に記載のユニット式建物の施工方法によれば、吹抜用建物ユニットを建築現場に運ぶ際に、吹き抜け空間となる部分に設けられる仮梁を当該建築現場で取り外す工程を最後にしているので、施工中に吹抜用建物ユニットに水平力等が作用しても、仮梁で対向することができ、ユニット式建物を確実に施工することができる。
【図面の簡単な説明】
【図１】本発明の一実施形態におけるユニット式建物を示す斜視図である。
【図２】前記実施形態における一、二階建物ユニットの骨組みを示す斜視図である。
【図３】前記実施形態における吹き抜け空間を形成する一、二階建物ユニットの骨組みを示す斜視図である。
【図４】図１の円IIIで囲まれた部分の連結構造を示す拡大斜視図である。
【図５】図１の円IIIで囲まれた部分の連結構造を示す平断面図である。
【図６】前記実施形態における上階連結具および下階連結具の連結構造を示す分解斜視図である。
【図７】前記実施形態における上階連結板および下階連結板の連結構造を示す分解斜視図である。
【符号の説明】
１  ユニット式建物
３  建物本体
３Ａ  凸部
３Ｂ  吹き抜け空間
１０、１０Ａ〜１０Ｃ  一階建物ユニット
２０、２０Ａ〜２０Ｃ  二階建物ユニット
３１Ｂ、４１Ａ、５１Ｂ、６１Ａ  柱
７１  上階連結具
７２  下階連結具
７３  上階連結部材である上階連結板
７４  下階連結部材である下階連結板
１００  仮梁
【図１】
0004058194.tif 000002
【図２】
0004058194.tif 000003
【図３】
0004058194.tif 000004
【図４】
0004058194.tif 000005
【図５】
0004058194.tif 000006
【図６】
0004058194.tif 000007
【図７】
0004058194.tif 000008